(57)【要約】【課題】壁パネルの荷重を分散させることができるようにして強度及び耐久性を付与することができ、施工の容易性を図ることができるとともに、漏水原因を排除することができる壁パネルの支持構造を提供すること。【解決手段】発泡板状体からなる基部１１の上面に、支持部材１２を介して壁パネル１０を支持する構造であって、前記基部１１の上面部分に、当該基部１１の外周に沿って延びる凹部２２が設けられている。この凹部２２には、長片板状の支持部材１２が配置されるようになっており、当該支持部材１２に設けられた溝部２５に壁パネル１０を受容させた状態で、当該壁パネル１０が支持されるようになっている。【選択図】図１
2014132141.tif 000002
【特許請求の範囲】
【請求項１】
発泡体からなる板状の基部の上面に、当該基部の外周に沿って延びる支持部材を介して壁パネルを支持する壁パネルの支持構造において、
前記基部の上面部分に、当該基部の外周に沿って延びる凹部が設けられ、当該凹部に前記支持部材が配置されることを特徴とする壁パネルの支持構造。
【請求項２】
前記基部は下面側に位置するフレームを介して支持され、当該フレームは前記支持部材の下面領域内の下部に位置し、前記支持部材はフレームの上面幅よりも大きい幅を備えていることを特徴とする請求項１記載の壁パネルの支持構造。
【請求項３】
前記支持部材の上面に、前記壁パネルの起立位置を規制する溝部が形成されていることを特徴とする請求項１又は２記載の壁パネルの支持構造。
【請求項４】
前記支持部材が壁パネルを支持したときに、前記支持部材の幅は、壁パネルから表出する大きさを備え、当該壁パネルよりも室内側に位置する支持部材の上面側は、前記基部の上面側に配置される表面材によって覆われることを特徴とする請求項１、２又は３記載の壁パネルの支持構造。
【請求項５】
前記支持部材は、当該支持部材のパネルから表出した部分の室内側に突条部を備え、当該突条部は、前記表面材の端部位置決め部材として機能することを特徴とする請求項４記載の壁パネルの支持構造。
【発明の詳細な説明】
【技術分野】
【０００１】
本発明は壁パネルの支持構造に係り、特に、浴室や洗面室等の壁パネルの支持構造に関する。
【背景技術】
【０００２】
浴室等に用いられる壁パネルの支持構造としては、例えば、特許文献１に開示された構造が知られている。同特許文献１には、発泡プラスチックからなる床面材の外周側に床面材枠を配置し、当該床面材枠の上面側に設けられた溝部に壁パネルの下部を受容して当該壁パネルを支持する構造が開示されている。
【先行技術文献】
【特許文献】
【０００３】
【特許文献１】特開２０１２−１１７２５７号公報
【発明の概要】
【発明が解決しようとする課題】
【０００４】
しかしながら、特許文献１に開示された構造にあっては、壁パネルの荷重を床面材枠が実質的に支える構造となり、床面枠材自体に高い強度、耐久性が要求される、という制約がある。
また、床面枠材は、床面材の外周縁に突き合わせて平面内に配置されるため、両者間を相互に連結する専用の作業が不可避となり、作業に熟練度を要する、という問題がある。また、床面材と床面枠材との接合面が、例えば浴室等の床面内に位置するため、当該接合面間に意図しない隙間が発生する施工不良があった場合には、それが漏水要因になるという不都合もある。
【０００５】
［発明の目的］
本発明の目的は、このような不都合に着目して案出されたものであり、その目的は、壁パネルの荷重を分散させることができるようにして強度及び耐久性を付与することができ、施工の容易性を図ることができるとともに、漏水原因を排除することができる壁パネルの支持構造を提供することにある。
【課題を解決するための手段】
【０００６】
前記目的を達成するため、本発明は、特許請求の範囲記載の構成を採用したものである。具体的には、発泡体からなる板状の基部の上面に、当該基部の外周に沿って延びる支持部材を介して壁パネルを支持する壁パネルの支持構造において、
前記基部の上面部分に、当該基部の外周に沿って延びる凹部が設けられ、当該凹部に前記支持部材が配置される、という構成を採っている。
【０００７】
本発明において、前記基部は下面側に位置するフレームを介して支持され、当該フレームは前記支持部材の下面領域内の下部に位置し、前記支持部材はフレームの上面幅よりも大きい幅を備える、という構成を採っている。
【０００８】
また、前記支持部材の上面に、前記壁パネルの起立位置を規制する溝部が形成されていることが好ましい。
【０００９】
更に、前記支持部材が壁パネルを支持したときに、前記支持部材の幅は、壁パネルから表出する大きさを備え、当該壁パネルよりも室内側に位置する支持部材の上面側は、前記基部の上面側に配置される表面材によって覆われる、という構成を採るとよい。
【００１０】
また、前記支持部材は前記溝部の幅方向室内側に位置する突条部を備え、当該突条部は、前記表面材の端部位置決め部材として機能するように設けられている。
【発明の効果】
【００１１】
本発明によれば、基部の上面に設けられた凹部に支持部材を配置するため、基部と支持部材との相互位置決めを極めて容易に行うことができる。
【００１２】
更に、フレームを支持部材の下面領域内に位置させ、基部下面側に位置するフレームの幅よりも支持部材の幅が大きければ、基部に働くせん断応力を低減できるので、基部の変形等を効果的に回避することができる。
【００１３】
また、壁パネルの起立位置を規制する溝部を支持部材に形成した構成では、壁パネルと支持部材との相互位置決めの負担がなく、作業者の単独施工による設置コストの削減を図ることができる。
【００１４】
また、支持部材の幅は壁パネルから表出する大きさである。すなわち、支持部材の幅は壁パネルの厚みよりも大きいので、基部に働く壁パネルの荷重を分散でき、基部の耐久性を高めることができる。
【００１５】
更に、表面材を設けて支持部材を覆う大きさにすれば、基部上面の凹部に支持部材が配置されている内部構造を隠蔽することができ、外観上の体裁も良好に保つことができる。
【００１６】
また、支持部材の上面に設けられた突条部に表面材を突き当てることで当該表面材の端部位置を決定させて施工容易性が確保できる。
【図面の簡単な説明】
【００１７】
【図１】本発明に係る壁パネルの支持構造の要部概略断面図。
【図２】前記支持構造の要部を示す概略斜視図。
【図３】図２の分解斜視図。
【発明を実施するための形態】
【００１８】
以下、本発明の実施形態について図面を参照しながら説明する。
図１に示されるように、浴室や洗面室に用いられる壁パネル１０は、板状の基部１１の上面に配置された支持部材１２を介して支持されている。壁パネル１０は、例えば、石膏ボード等からなるパネル本体１５と、当該パネル本体１５の一方の面に設けられた鋼板等からなる表面材１６とにより構成され、当該表面材１６の外周側は屈曲面１６Ａとされ、当該屈曲面１６Ａは、パネル本体１５の端面との間に空間を形成するように設けられている。
【００１９】
前記基部１１は、例えば、熱可塑性樹脂発泡体により構成され、本実施形態では、平面形状が略方形となる約４０ｍｍ厚の発泡ポリスチレンからなる板材が用いられている。この基部１１は、外周側下面に、その板厚を減ずる段部２０を備えており、当該段部２０内に位置する角柱材からなるフレーム２１を介して支持されている。また、基部１１の上面部分となる外周側には、当該基部１１の外縁に沿って延びる凹部２２が形成され、当該凹部２２に支持部材１２を配置することで、支持部材１２の上面が基部１１の上面と略同一平面位置となるようになっている。ここで、凹部２２を形成する外縁側は、基部１１の上面高さ位置よりも高い位置となる外縁部１１Ａとされ、何らかの原因によって凹部２２内に水が浸入することがあっても、外部への水漏れリスクが効果的に回避できるようになっている。
【００２０】
前記支持部材１２は、ＡＢＳ、ＰＳ、ＰＰ等からなる略板状の硬質の樹脂成形体により構成されている。この支持部材１２は、凹部２２内に収まる幅と、当該凹部２２に沿って延びる長さを備えて構成されている。支持部材１２の上面には壁パネル１０の起立位置を規制する溝部２５が形成され、当該溝部２５の幅方向一端側となる支持部材１２の上面中間部には突条部２６が図１中紙面直交方向に沿って形成されている。また、溝部２５の幅方向他端側となる支持部材１２の外側端部は壁パネル１０よりも外側に表出して基部１１の外縁部１１Ａの上部に位置するフランジ部２８とされ、溝部２５は、突条部２６とフランジ部２８との間に設けられる形状となっている。
なお、支持部材１２は、前記フレーム２１の上面幅よりも大きい幅を備えており、必要に応じて、ねじ等からなる締結部材３０を用いて基部１１と共にフレーム２１に固定することができる。
【００２１】
前記基部１１及び支持部材１２の上面側には塩ビシート等からなる表面材３２が図示しない両面テープを介して貼付される。表面材３２を貼付する際には、前記突条部２６が表面材３２の外側端部の位置決め部材として機能するようになっている。また、突条部２６と壁パネル１０との間には可撓性を備えた樹脂製の細長い目地材３４が圧入される。目地材３４は、突条部２６と表面材３２の端部上面に着座する平面部３６と、当該平面部３６の下面側に連設されて突条部２６と壁パネル１０との間に位置する垂下部３７と、当該垂下部３７の下端部に設けられて突条部２６の基部に係合可能なフック３７Ａと、垂下部３７の面から先端側が斜め上方に向けられた上下２枚の薄片３９とを備え、当該薄片３９が壁パネル１０の面を押圧するようになっている。
なお、図１中符号４０は壁パネル１０と凹部２２の底面との間に配置される片状のパッキンであり、符号４１は、壁パネル１０の下端外面とフランジ部２８との間に挿入されるスペーサを示す。
【００２２】
以上の構成において、壁パネル１０を支持するに際しては、基部１１の凹部２２内に支持部材１２を配置し、突条部２６を位置決め部材として表面材３２を基部１１及び支持部材１２に貼付する。
次いで、溝部２５の底面にパッキン４０を介して壁パネル１０を上方より落とし込み、壁パネル１０と支持部材１２のフランジ部２８との間にスペーサ４１を位置させる。
この状態で、壁パネル１０と突条部２６との間に目地材３４を圧入し、フック３７Ａを突条部２６の基部に係合させることにより、支持部材１２上に壁パネル１０を支持させることができる。
なお、壁パネル１０は、基部１１の４辺に沿ってそれぞれ起立支持されることになるため、コーナーは、平面視Ｌ型の凹部２５を備えた別途の支持部材が用いられる。
【００２３】
従って、このような実施形態によれば、基部１１の上面部分に設けられた凹部２２に支持部材１２を配置して壁パネル１０を支持することができるので、壁パネル１０の荷重を分散させて支持することが可能になる。
【００２４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部剤の名称での記載は、本発明に含まれるものである。
【００２５】
例えば、前記実施形態では、支持部材１２が締結部材３０を用いて基部１１と共にフレーム２１に固定される構成を示したが、締結部材３０を用いることなく接着により固定することでもよい。また、凹部２２内で支持部材１２の位置が一義的に定まる相対寸法に設定されている場合には、支持部材１２を基部１１に固定することを省略することも可能である。
【００２６】
また、支持部材１２は、基部１２の凹部２２に配置される構成であって、壁パネル１０を所定位置に支持することができる限り、その細部の形状や、相対寸法を任意に変更することができる。
また、支持部材１２は、アルミニウムなどの金属で成形しても良い。
【符号の説明】
【００２７】
１０…壁パネル、１１…基部、１２…支持部材、２１…フレーム、２２…凹部、２５…溝部、２６…突条部、３２…表面材、１３…表面材
【図１】
2014132141.tif 000003
【図２】
2014132141.tif 000004
【図３】
2014132141.tif 000005